(57)【特許請求の範囲】
【請求項１】
地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が固着されてなるジャッキを備えた突っ張り部とを有しており、前記パイプホルダー部は、パイプ嵌合プレートと、紐状のパイプ保持部材と、該パイプ保持部材の係止手段とを備え、前記パイプホルダー部のパイプ嵌合プレートは、上部に設けられたパイプ保持部材の係止手段取り付け部と、該取り付け部近傍に形成された紐状のパイプ保持部材が折り返される折り返し部と、パイプ径と一致する略半円の嵌合溝とを有し、前記パイプ保持部材の係止手段は、紐状のパイプ保持部材の折り返された部分の一部を収容し、前記パイプ嵌合プレートに固定する断面コ字状の収容部を有することを特徴とするパイプ吊下装置。
【請求項２】
地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が固着されてなるジャッキを備えた突っ張り部とを有しており、前記パイプホルダー部は、パイプ嵌合プレートと、紐状のパイプ保持部材と、該パイプ保持部材の係止手段とを備え、前記パイプホルダー部のパイプ嵌合プレートは、パイプ径と一致する略半円の嵌合溝を有し、上部２カ所にはパイプ保持部材の係止手段が設置されるものであって、該係止手段の一方は、前記紐状のパイプ保持部材の折り返された部分の一部を収容し、前記パイプ嵌合プレートに固定する断面コ字状の収容部を有してなるものであり、他方の係止手段は、前記紐状のパイプ保持部材を巻き付けて係止させるための巻き付け部と係止部とを有するものであることを特徴とするパイプ吊下装置。
【請求項３】
パイプ吊下装置のパイプホルダー部はクランプ部に対して着脱可能であることを特徴とする請求項１又は２に記載のパイプ吊下装置。
【請求項４】
パイプ嵌合プレートの嵌合溝には、位置決めのための丁張り糸が挿入される切欠が設けられていることを特徴とする請求項１乃至３のいずれかに記載のパイプ吊下装置。
【請求項５】
パイプホルダー部には、位置決めのためにレーザー照準器から発射されるレーザー光線が照射されるターゲットを保持するターゲットホルダーが着脱可能に設置されていることを特徴とする請求項１乃至４のいずれかに記載のパイプ吊下装置。
【発明の詳細な説明】
【０００１】
【発明の属する技術分野】
本発明は、地面を掘削して形成される溝に下水道管等のパイプを敷設する作業において使用するパイプ吊下装置に関するものである。
【０００２】
【従来の技術】
一般に、下水道管を敷設する工事では、精密な勾配で敷設することが要求される。そのため、従来では掘削した溝を跨いだ路面に、門構えの形状をした丁張を所定の間隔ごとに測量器等を使用して指定された勾配となるように設置した後、この丁張の勾配に合わせて丁張り糸（水糸）を張り渡す工程を必要としている。
【０００３】
そして、上記作業の後、所定長さの棒を使用して溝に挿入した下水道管の最上部と丁張り糸との間隔を一定にするため、下水道管の下部に板等を敷いて調整する作業をした後、下水道管を固定して土砂を埋め戻していた。
【０００４】
しかし、最近ではレーザー照準器を使用し、発射されるレーザー光線を基準として敷設されるパイプの勾配を精密に設定する方法も普及してきている。
【０００５】
また、特開平９−４１４７１号公報には、パイプ位置調整固定装置に関する発明が記載されている。このパイプ位置調整固定装置は図５に示すように水平器２０を装着した本体の上梁部２１に、上下移動用のハンドル２２により上下移動する昇降軸２３を螺嵌すると共に、横移動する支持部２４を設置し、上下伸縮用ハンドル２６，２６により上下伸縮する伸縮脚２７を支持脚２５，２５の下部に嵌挿し、昇降軸２３の下端には、パイプ用ベルト２８を巻き上げてパイプを締め付けるベルト調節器２９を有する管固定体３０を取り付けたものが記載されている。
【０００６】
【発明が解決しようとする課題】
しかしながら、上記パイプ位置調整固定装置は伸縮脚２７の長さを水平器２０を見ながら調整する必要がある。また、支持脚２５，２５の設置面を正確に地ならしする必要もある。さらには、レーザー照準器と上記パイプ位置調整固定装置とを使用する場合にはレーザー光線が照射されるターゲットをパイプ内部の一方の端部付近等に固定する必要があり、ターゲット固定部材を別部材として設ける必要がある。また、下水道管等のパイプは通常４ｍを一単位として連結していく長尺な部材なので、自重によって撓む場合も考慮する必要がある。そのため、パイプの中間位置での位置調整を行う必要があるが、上記パイプ位置調整固定装置を使用した場合にはパイプ内部の中間位置にターゲットを固定しなければならず、非常に困難である。さらには、上記パイプ位置調整固定装置にパイプを位置決め固定し、土砂を埋め戻した後、支持脚２５，２５を引き抜く必要があるが、その際、埋め戻した土砂が崩れてパイプが基準からずれることが無いように慎重な作業が要求される。
【０００７】
そこで、本出願人は、特願２００２−１５８４５号に記載のパイプ吊下装置を開発した。この発明は、図６に示すように、地面を掘削して形成される溝の両壁に設置された土留パネル又は矢板間に下水道管等を敷設する作業で使用するパイプ吊下装置１であって、該パイプ吊下装置１は、パイプの周壁を挟持するパイプホルダー部２と、該パイプホルダー部２の上方に位置する吊下装置本体３と、該吊下装置本体３と前記パイプホルダー部２とを連結するクランプ部４と、前記吊下装置本体３から前記土留パネル又は矢板を押圧する方向に延出する伸縮自在の支持杆５ａと該支持杆５ａの先端に押圧片５ｂが固着されてなるジャッキ５を備えた突っ張り部６とを有しているものである。
【０００８】
この発明によって、上記問題点はおおよそ解決されることとなった。しかし、土砂の埋め戻し後に行うパイプ吊下装置１の取り外し作業では、パイプの周壁を挟持するパイプホルダー部２を拡げて取り除かなければならず、パイプホルダー部２の上方から土砂によって押圧された状態では、引き抜き作業は容易ではなかった。
【０００９】
本発明は、上記点に鑑み下水道管等のパイプ敷設作業において精密な勾配でパイプを敷設することができると共に、パイプ敷設後の埋め戻し作業を簡易化することができるパイプ吊下装置を提供することを目的とする。
【００１０】
【課題を解決するための手段】
請求項１の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が固着されてなるジャッキを備えた突っ張り部とを有しており、前記パイプホルダー部は、パイプ嵌合プレートと、紐状のパイプ保持部材と、該パイプ保持部材の係止手段とを備え、前記パイプホルダー部のパイプ嵌合プレートは、上部に設けられたパイプ保持部材の係止手段取り付け部と、該取り付け部近傍に形成された紐状のパイプ保持部材が折り返される折り返し部と、パイプ径と一致する略半円の嵌合溝とを有し、前記パイプ保持部材の係止手段は、紐状のパイプ保持部材の折り返された部分の一部を収容し、前記パイプ嵌合プレートに固定する断面コ字状の収容部を有することに特徴を有する。
【００１１】
請求項２の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が固着されてなるジャッキを備えた突っ張り部とを有しており、前記パイプホルダー部は、パイプ嵌合プレートと、紐状のパイプ保持部材と、該パイプ保持部材の係止手段とを備え、前記パイプホルダー部のパイプ嵌合プレートは、パイプ径と一致する略半円の嵌合溝を有し、上部２カ所にはパイプ保持部材の係止手段が設置されるものであって、該係止手段の一方は、前記紐状のパイプ保持部材の折り返された部分の一部を収容し、前記パイプ嵌合プレートに固定する断面コ字状の収容部を有してなるものであり、他方の係止手段は、前記紐状のパイプ保持部材を巻き付けて係止させるための巻き付け部と係止部とを有するものであることに特徴を有する。
【００１２】
請求項３の発明は、パイプ吊下装置のパイプホルダー部はクランプ部に対して着脱可能であることに特徴を有する。
【００１３】
請求項４の発明は、パイプ嵌合プレートの嵌合溝には、位置決めのための丁張り糸が挿入される切欠が設けられていることに特徴を有する。
【００１４】
請求項５の発明は、パイプホルダー部には、位置決めのためにレーザー照準器から発射されるレーザー光線が照射されるターゲットを保持するターゲットホルダーが着脱可能に設置されていることに特徴を有する。
【００１８】
【発明の実施の形態】
次に本発明の実施形態を図面に基づいて説明する。図１は、本発明に係るパイプ吊下装置の一例を示す図である。このパイプ吊下装置１は、パイプ１０の周壁を挟持するパイプホルダー部２と、このパイプホルダー部２の上方に位置する吊下装置本体３と、この吊下装置本体３とパイプホルダー部２とを連結するクランプ部４と、突っ張り部６とを有する構成としている。
【００１９】
そして、突っ張り部６は、吊下装置本体３から土留パネルを押圧する方向（図面上は左右方向）に延出する伸縮自在の支持杆５ａと、この支持杆５ａの先端に押圧片５ｂ，５ｂが固着されてなるジャッキからなる構成としている。尚、支持杆５ａは、外筒と、この外筒に挿入されている伸縮棒とからなるものであり（図示せず）、伸縮棒の先端に押圧片５ｂが固着されているのである。また、伸縮棒の表面にはねじ切りがされていて、この伸縮棒に固定ハンドル５ｃを螺合する構成としているのである。
【００２０】
ここで土留パネルとは、２枚のパネルを切梁サポート（図示せず）により所定の間隔で連結して掘削部位に設置して、掘削部位を所定の幅寸法に保持するものであり、詳しくは本出願人の出願である特開２０００−４５２８３号公報等に記載されている。尚、土留パネルに代えて矢板の場合でも本発明を実施することができることは言うまでもない。
【００２１】
そして、突っ張り部６の下方には、左右位置調整部７が設けられている。この左右位置調整部７は、ねじ切りされた左右方向の調整棒７ａと、この左右方向の調整棒７ａに螺合する可動管７ｂと調整棒７ａに螺合する位置決めハンドル７ｃ，７ｃとからなるものであり、調整棒７ａは支持杆５ａに対して平行に配設されている。また、可動管７ｂは吊下装置本体３に溶接されていて、可動管７ｂが調整棒７ａ上を動くことによって、吊下装置本体３と、これに連結するパイプホルダー部２とが図面上、左右方向に動いて左右方向の位置調整ができるようになっているのである。
【００２２】
また、吊下装置本体３は、中空円筒状となっており、最上部に丁張り釘穴３ｂが設けられ、表面がねじ切りされた上下方向の調整棒３ａが挿入されている。そして、位置決めハンドル３ｃ，３ｃが吊下装置本体３の上方及び下方の位置で上下方向の調整棒３ａに螺合している。したがって、吊下装置本体３は上下方向の調整棒３ａ上を動くことによって、この吊下装置本体３に連結するパイプホルダー部２が図面上、上下方向に動いて上下方向の位置調整ができるようになっているのである。
【００２３】
次に、クランプ部４は、連結部４ａと嵌合プレート固定ピン４ｂ，４ｂとを有し、連結部４ａは上述の上下方向の調整棒３ａの一端に固定されている。そして、嵌合プレート固定ピン４ｂ，４ｂにはパイプ嵌合プレート２ａが着脱可能に取り付けられている。尚、クランプ部４とパイプ嵌合プレート２ａとには位置決めのためにレーザー照準器から発射されるレーザー光線が照射されるターゲット８を保持するターゲットホルダー９が着脱可能に設置される構造となっている。ターゲットホルダー９はターゲット８が装着される部分に円形の穴９ａが空いており、この穴９ａの周囲にターゲット８を保持する係止爪９ｂ，９ｂ，９ｂを有するものである。そして、円形の穴９ａの上方にはボルト挿入孔が穿設されていて（図示せず。）、これにボルト９ｃを挿入しナットで締結してクランプ部４とパイプ嵌合プレート２ａとにターゲットホルダー９は固定されるのである。尚、ターゲット８はターゲットホルダー９の上方からターゲット８の左右側面が係止爪９ｂ，９ｂ間をスライドして挿入され、３個の係止爪９ｂ，９ｂ，９ｂによって左右の側面及び底面が保持される構造であるため、ターゲットホルダー９からの着脱は容易に行えるのである。
【００２４】
図２は本発明に係るパイプ吊下装置のパイプホルダー部を構成する部品を示す説明図であり、本願の請求項２又は４に対応する実施形態である。２ａはパイプ嵌合プレートであり、２ｂはパイプ保持部材の係止手段であり、２ｃは紐状のパイプ保持部材である。
【００２５】
そして、パイプ嵌合プレート２ａは上部２箇所に設けられたパイプ保持部材の係止手段取り付け部２１ａ，２１ａと、この取り付け部２１ａの近傍であって保持されるパイプの直径に相当する間隔をおいて形成された紐状のパイプ保持部材が折り返される溝２２ａ，２２ａと、パイプ径と略一致する略半円の嵌合溝２３ａと、位置決めのための丁張り糸が挿入される切欠２４ａとを有している。
【００２６】
また、パイプ保持部材の係止手段２ｂは紐状のパイプ保持部材の折り返された部分の一部を収容し、パイプ嵌合プレートに固定する断面コ字状の収容部２１ｂと、パイプ嵌合プレート２ａの係止手段取り付け部２１ａ，２１ａの穴と連結する連結部２２ｂとを有している。
【００２７】
さらに、紐状のパイプ保持部材２ｃは変形自在な長尺な部材を意味する語句である。この紐状のパイプ保持部材は、図に示すような紐のみに限定されるものではなく、ベルトやクサリ、チェーンをも含んだ広い概念を意味する語句としてここに定義し、上述の特許請求の範囲で使用しているものである。
【００２８】
また、紐状のパイプ保持部材が折り返される部分に溝２２ａ，２２ａを形成しているが、この溝２２ａは紐状のパイプ保持部材が図面上、左右方向に逃げないためのものであり、必ずしも溝を設ける必要はないため、特許請求の範囲では、紐状のパイプ保持部材が折り返される折り返し部としている。
【００２９】
図３は本発明に係るパイプ吊下装置の他のパイプホルダー部を構成する部品を示す説明図であり、本願の請求項５に対応する実施形態である。２ｄはパイプ嵌合プレートであり、２ｅは紐状のパイプ保持部材である。
【００３０】
そして、パイプ嵌合プレート２ｄは上部中央に紐状のパイプ保持部材２ｅを掛止する掛止部２１ｄと、パイプ径と略一致する略半円の嵌合溝２２ｄと、位置決めのための丁張り糸が挿入される切欠２３ｄとを有している。
【００３１】
また、紐状のパイプ保持部材２ｅは上述と同様に、ベルトやクサリ、チェーンをも含んだ広い概念を意味する語句として定義されるものであり、自らを係止する調整可能な係止手段２１ｅを有している。
【００３２】
図４は本発明に係るパイプ吊下装置のさらに他のパイプホルダー部を示す説明図であり、本願の請求項３又は４に対応する実施形態である。２ｆはパイプ嵌合プレートであり、２ｇ，２ｈはパイプ保持部材２ｉの係止手段であり、２ｉは紐状のパイプ保持部材である。
【００３３】
そして、パイプ嵌合プレート２ｆはパイプ径と略一致する略半円の嵌合溝２１ｆを有している。
【００３４】
また、パイプ保持部材の一方の係止手段２ｇは紐状のパイプ保持部材２ｉの折り返された部分の一部を収容し、パイプ嵌合プレート２ｆに固定する断面コ字状の収容部２１ｇを有している。
【００３５】
そして、パイプ保持部材の他方の係止手段２ｈは紐状のパイプ保持部材２ｉを通した溝付きのスロット２１ｈをラチェット機構により回転させ、このスロット２１ｈに紐状のパイプ保持部材２ｉを巻き付け、且つスロットの溝２２ｈにストッパ２３ｈが係合して紐状のパイプ保持部材２ｉが緩むことがないようにした荷締機から構成されている。
【００３６】
また、上述と同様にして、紐状のパイプ保持部材２ｉは変形自在な長尺な部材を意味する語句であり、ベルトやクサリ、チェーンをも含んだ広い概念を意味する語句として定義されるものである。
【００３７】
尚、パイプの敷設方法は特願２００２−１５８４５号に記載した方法と変わりがないので、説明は省略する。
【００３８】
また、本発明の趣旨を逸脱しない範囲において種々の実施形態をとることができることは言うまでもない。
【００３９】
例えば、上記実施形態の図２では、パイプ保持部材の係止手段２ｂをパイプ嵌合プレート２ａの上部２箇所に設置する構成としているが、これに限定されるものではなく、係止手段２ｂを上部１箇所に設置する構成とし、紐状のパイプ保持部材の一端をパイプ嵌合プレート２ａに固着する構成としてもよいものである。
【００４０】
同様にして、図４では、パイプ保持部材の係止手段を２ｇ，２ｈの２種類としているが、係止手段を２ｈのみとして、紐状のパイプ保持部材の一端をパイプ嵌合プレート２ｆに固着する構成としてもよいものである。
【００４１】
また、パイプ嵌合プレート２ａ，２ｄ，２ｆは施工するパイプ径によって略半円の嵌合溝２３ａ，２２ｄ，２１ｆの大きさが変化するので、パイプホルダー部はクランプ部に対して着脱可能にすると共に、パイプ径に対応するパイプ嵌合プレートを予め複数準備しておくのである。
【００４２】
【発明の効果】
請求項１の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が固着されてなるジャッキを備えた突っ張り部とを有しており、前記パイプホルダー部は、パイプ嵌合プレートと、紐状のパイプ保持部材と、該パイプ保持部材の係止手段とを備え、前記パイプホルダー部のパイプ嵌合プレートは、上部に設けられたパイプ保持部材の係止手段取り付け部と、該取り付け部近傍に形成された紐状のパイプ保持部材が折り返される折り返し部と、パイプ径と一致する略半円の嵌合溝とを有し、前記パイプ保持部材の係止手段は、紐状のパイプ保持部材の折り返された部分の一部を収容し、前記パイプ嵌合プレートに固定する断面コ字状の収容部を有することに特徴を有するので、パイプの敷設作業が容易になると共に、敷設後の埋め戻し作業を簡易化することができる。
【００４３】
請求項２の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が固着されてなるジャッキを備えた突っ張り部とを有しており、前記パイプホルダー部は、パイプ嵌合プレートと、紐状のパイプ保持部材と、該パイプ保持部材の係止手段とを備え、前記パイプホルダー部のパイプ嵌合プレートは、パイプ径と一致する略半円の嵌合溝を有し、上部２カ所にはパイプ保持部材の係止手段が設置されるものであって、該係止手段の一方は、前記紐状のパイプ保持部材の折り返された部分の一部を収容し、前記パイプ嵌合プレートに固定する断面コ字状の収容部を有してなるものであり、他方の係止手段は、前記紐状のパイプ保持部材を巻き付けて係止させるための巻き付け部と係止部とを有するものであることに特徴を有するので、紐状のパイプ保持部材を係止手段によって容易に着脱することが可能なことからパイプ敷設後の埋め戻し作業におけるパイプ吊下装置の撤去作業を容易にすることができる。
【００４６】
請求項５の発明は、パイプホルダー部には、位置決めのためにレーザー照準器から発射されるレーザー光線が照射されるターゲットを保持するターゲットホルダーが着脱可能に設置されていることに特徴を有するので、レーザー照準器を使用した場合に、ターゲットが固定される位置を別の場所に位置決めする必要がなく便利である。
【図面の簡単な説明】
【図１】  本発明に係るパイプ吊下装置の一例を示す図である。
【図２】  パイプ吊下装置のパイプホルダー部の一例を示す説明図である。
【図３】  パイプ吊下装置のパイプホルダー部の他例を示す説明図である。
【図４】  パイプ吊下装置のパイプホルダー部の他例を示す説明図である。
【図５】  従来のパイプ位置調整固定装置を示す説明図である。
【図６】  特願２００２−１５８４５号に係るパイプ吊下装置を示す説明図である。
【符号の説明】
１ パイプ吊下装置
２ パイプホルダー部
３ 吊下装置本体
４ クランプ部
５ ジャッキ
５ａ 支持杆
５ｂ 押圧片
６ 突っ張り部
７ 左右位置調整部
８ ターゲット
９ ターゲットホルダー
【図１】
0003700131.tif 000002
【図２】
0003700131.tif 000003
【図３】
0003700131.tif 000004
【図４】
0003700131.tif 000005
【図５】
0003700131.tif 000006
【図６】
0003700131.tif 000007